(57)【特許請求の範囲】
【請求項１】
外壁パネルが、壁枠材とその壁枠材に固定させた外壁面材を有し、前記外壁面材の側端部が前記壁枠材の側端部よりも後退して、左右の外壁パネルの外壁面材の間に凹部が設けられ、この凹部内に継ぎ外壁材が収納固定され、上下の外壁パネルの突合せ部と上下の継ぎ外壁材の突合せ部が横に連続して設けられている外壁の防水構造であって、
左右の外壁パネルの突合せ部が、左右の外壁パネルに跨がるようにして接着させた壁継ぎ防水材で防水処理され、
前記凹部に収納固定する下の継ぎ外壁材の上面と対向させる水平片と、前記下の継ぎ外壁材の表面と対向させる表垂直片とを有する水切り材が、前記壁継ぎ防水材の上に固定され、
上側の外壁パネル間の壁継ぎ防水材の下端部が下側の外壁パネル間の水切り材の表垂直片に接着されていることを特徴とする外壁の防水構造。
【請求項２】
前記外壁パネルの上面と前記継ぎ外壁材の上面の間の隙間が、前記外壁パネルの上面と前記水切り材の水平片の上面に跨がるようにして接着させた壁上継ぎ防水材で防水処理され、この壁上継ぎ防水材が、外壁パネルの上面に沿って設けられている壁上防水材と連続していることを特徴とする請求項１記載の外壁の防水構造。
【請求項３】
前記壁上継ぎ防水材と前記壁上防水材に沿ってパッキングが連続的に接着され、このパッキングによって上下の外壁パネルの突合せ部が防水処理されている請求項１または２記載の外壁の防水構造。
【請求項４】
前記外壁パネルが、建物ユニットと屋根ユニットからなるユニット建物の外壁パネルであって、前記外壁パネルの突合せ部ならびに前記継ぎ外壁材の突合せ部が、ユニットの接合部に設けられている請求項１ないし３のいずれか１項記載の外壁の防水構造。
【発明の詳細な説明】
【０００１】
【発明の属する技術分野】
本発明は、建物における外壁の防水構造に関する。
【０００２】
【従来の技術】
一般に、上下の外壁パネルの突合せ部や左右の外壁パネルの突合せ部には、水の浸入を防止するための防水構造が採用されている。
上下の外壁パネルの突合せ部に採用されている代表的な従来の防水構造としては、例えば、特公平６−３３６３２号公報に記載されているような構造が知られている。
すなわち、この構造では、下階建物ユニット（二階部分の建物ユニット）の外壁パネルの上端部に沿って接着固定されている壁上防水シートと、この壁上防水シートの上に接着されていて上階建物ユニットの外壁パネルと下階建物ユニットの外壁パネルとの間に挟着されているパッキングと、上端部が上階建物ユニットの外壁パネルの外壁面材と壁枠材との間に挟着固定され、下端部が下階建物ユニットの前記壁上防水シートの上に接着固定されている壁下防水シートで上下の外壁パネルの突合せ部が防水処理されている。そして、この防水構造を採用する場合、工場内で下階建物ユニットならびに上階建物ユニットを組み立てる工程において、前記壁上防水シートならびに前記パッキングを下階建物ユニットに接着固定しておくと共に、前記壁下防水シートを上階建物ユニットに接着固定しておき、施工現場において上階建物ユニットを下階建物ユニットの上に据付けてから、前記壁下防水シートの下端部を下階建物ユニットの壁上防水シートと接着固定する施工手順となる。
【０００３】
また、本願出願人は、左右の外壁パネルの接合部構造として、先に、特願平７−６２６８６号に示すような発明を出願した。この発明では、外壁面材の側端部を壁枠材の側端部よりも後退させることによって左右の外壁パネルの間に凹部を設け、この凹部に継ぎ外壁材を収納状態で固定している。この接合部構造は、継ぎ外壁材の表面と外壁パネルの表面とがほぼ面一になることによって継ぎ外壁材と外壁パネルとの間に一体感が得られるので、外壁パネルの接合部の外観の向上が図れるといった優れた発明である。
【０００４】
【発明が解決しようとする課題】
ところが、上記特願平７−６２６８６号には、左右の外壁パネル間の凹部に継ぎ外壁材を設けた場合の、上下の外壁パネルの突合せ部の防水構造については開示されていない。
【０００５】
一方、上記特公平６−３３６３２号公報に記載されている外壁の防水構造を、外壁パネルの外壁面材を継ぎ外壁材に置き換えて採用することも考えられるが、その場合、上下の外壁パネルの突合せ部を防水処理するための防水シートの接着対象が継ぎ外壁材となるために、次のような問題が生じる。
例えば、一階部分が下階建物ユニットで構成され、二階部分が上階建物ユニットで構成され、屋根部分が屋根ユニットで構成されている二階建てのユニット建物の場合、次のような施工手順となる。
すなわち、まず、下階建物ユニットを基礎の上に据付け、下階建物ユニットの左右の外壁パネル間の凹部に継ぎ外壁材を収納固定する。そして、その継ぎ外壁材の上面に壁上継ぎ防水シートを接着する。次に、下階建物ユニットの上に上階建物ユニットを据付け、上階建物ユニットの左右の外壁パネル間の凹部に継ぎ外壁材を収納固定した後、上階建物ユニットに接着固定されている壁下防水シートの下端部を下階建物ユニットの壁上防水シートと壁上継ぎ防水シートの上から接着固定し、その後、上階建物ユニットの上に屋根ユニットを据付ける。
しかしながら、このような施工手順では、屋根ユニットの据付けを行うまでの時間が長くなるので、天候が変化し施工途中に降雨の害を受ける可能性が高いという問題が生じる。
【０００６】
そこで、本発明は、上記のような問題に着目し、左右の外壁パネル間の凹部に継ぎ外壁材を収納固定した外壁において、外壁パネルの突合せ部を確実に防水処理できるようにし、更にユニット建物に適用しても、屋根ユニットの据付け工程の時期が遅れないようにすることができる外壁の防水構造を提供することを目的としている。
【０００８】
【課題を解決するための手段】
請求項１記載の外壁の防水構造では、外壁パネルが、壁枠材とその壁枠材に固定させた外壁面材を有し、前記外壁面材の側端部が前記壁枠材の側端部よりも後退して、左右の外壁パネルの外壁面材の間に凹部が設けられ、この凹部内に継ぎ外壁材が収納固定され、上下の外壁パネルの突合せ部と上下の継ぎ外壁材の突合せ部が横に連続して設けられている外壁の防水構造であって、左右の外壁パネルの突合せ部が、左右の外壁パネルに跨がるようにして接着させた壁継ぎ防水材で防水処理され、前記凹部に収納固定する下の継ぎ外壁材のの上面と対向させる水平片と、前記下の継ぎ外壁材の表面と対向させる表垂直片とを有する水切り材が、前記壁継ぎ防水材の上に固定され、
上側の外壁パネル間の壁継ぎ防水材の下端部が下側の外壁パネル間の水切り材の表垂直片に接着されている構成とした。
【０００９】
更に、請求項２記載の外壁の防水構造では、前記外壁パネルの上面と前記継ぎ外壁材の上面の間の隙間が、前記外壁パネルの上面と前記水切り材の水平片の上面に跨がるようにして接着させた壁上継ぎ防水材で防水処理され、この壁上継ぎ防水材が、外壁パネルの上面に沿って設けられている壁上防水材と連続している構成とし、請求項３記載の外壁の防水構造では、前記壁上継ぎ防水材と前記壁上防水材に沿ってパッキングが連続的に接着され、このパッキングによって上下の外壁パネルの突合せ部が防水処理されている構成とし、請求項４記載の外壁の防水構造では、前記外壁パネルが、建物ユニットと屋根ユニットからなるユニット建物の外壁パネルであって、前記外壁パネルの突合せ部ならびに前記継ぎ外壁材の突合せ部が、ユニットの接合部に設けられている構成とした。
【００１０】
【作用】
請求項１記載の外壁の防水構造では、左右の外壁パネルの突合せ部が壁継ぎ防水材で防水処理されているので、左右の外壁パネルの間に雨水が浸入するのを防止できる。また、上側の外壁パネル間の壁継ぎ防水材の下端部が、下側の外壁パネル間に固定された水切り材の表垂直片に接着されているので、上下の継ぎ外壁材の間に浸入した雨水が上下の外壁パネルの間に到達するのを防止することができる。更に、この外壁の防水構造にあっては、壁継ぎ防水材の下端部の接着対象が、外壁パネルに固定されている水切り材なので、上下左右の外壁パネルの突合せ部の防水処理を完了させた後に、継ぎ外壁材の取り付け作業を行うことが可能となり、作業手順が制約されない。すなわち、継ぎ外壁材の取り付けは後工程にして屋根ユニット据付けまでを先行して行うことができる。この結果、屋根ユニットの据付けを行うまでの時間が短縮できる。
【００１１】
請求項２記載の外壁の防水構造では、前記外壁パネルの上面と前記継ぎ外壁材の上面の間の隙間が壁上継ぎ防水材で防水処理されているので、万が一、壁継ぎ防水材の下端部と前記水切り材の表垂直片との接着が剥れてその間に雨水が浸入したとしても、前記外壁パネルと継ぎ外壁材の間の隙間を伝って雨水が外壁内に浸入するのを防止することができる。
【００１２】
請求項３記載の外壁の防水構造では、パッキングによって上下の外壁パネルの突合せ部が防水処理されているので、万が一、上下の外壁パネルの突合せ部に雨水が浸入したとしても、その雨水が室内側に到達するのを確実に防止することができる。
【００１３】
請求項４記載の外壁の防水構造では、ユニット建物を構築する場合、建物ユニットならびに屋根ユニットの据付け作業と、ユニットの接合部における外壁パネルの突合せ部の防水処理作業とを終えた後に、ユニットの接合部への継ぎ外壁材の取り付け作業を行うことができるようになる。
【００１４】
【発明の実施の形態】
以下、図面に基づいて、実施の形態の外壁の防水構造について詳述する。
図２は二階建てのユニット建物を示す全体図で、一階部分が下階建物ユニットＵ１で構成され、二階部分が上階建物ユニットＵ２で構成され、屋根部分が屋根ユニットＵ３で構成されている。前記下階建物ユニットＵ１ならびに前記上階建物ユニットＵ２は、耐力壁としての外壁パネル１と床パネル（図示省略）を箱状に組み立てて構成されている。
【００１５】
図３は上階建物ユニットＵ２同士の接合部における左右の外壁パネル１の突合せ部を示す横断面図で、この図に示す通り、前記外壁パネル１は、硬質木片セメント板等からなる外壁面材１１を木材等からなる壁枠材１２に固定することによって構成されている。また、各外壁パネル１の外壁面材１１の側端部は前記壁枠材１２の側端部よりも後退しており、左右の外壁パネル１の外壁面材１１の間には凹部２が設けられ、この凹部２に押出成型によるセメント材である継ぎ外壁材３が収納状態で固定されている。
【００１６】
前記凹部２は、図７に示すように、ポリプロピレン樹脂の折曲加工品等の壁端防水板２１と、ブチルテープ等の壁上継ぎ防水テープ２２と壁端継ぎ防水テープ２３と壁下継ぎ防水テープ２４とで防水処理されている。
【００１７】
前記壁端防水板２１は、断面Ｌ字形に形成されており、外壁面材１１の側端面と、壁枠材１２の表面の露出している部分に沿って接着されている。
【００１８】
前記壁上継ぎ防水テープ２２は、左右の外壁パネル１の上端部に跨がるようにして設けられており、Ｌ字形に折り曲げられた状態で壁枠材１２の上面と前記壁端防水板２１に接着されている。
【００１９】
前記壁端継ぎ防水テープ２３は、左右の外壁パネル１の側端部に跨がるようにして設けられており、前記壁端防水板２１に接着されている。また、この壁端継ぎ防水テープ２３は、下端部２３１が前記外壁パネル１の下端部よりも下方まで延在していて、下階建物ユニットＵ１の外壁パネル１の上端部に設けられている後記壁上継ぎ防水シート７の表側に接着されている。
【００２０】
前記壁下継ぎ防水テープ２４は、左右の外壁パネル１の下端部に跨がるようにして設けられており、前記壁端防水板２１と前記壁端継ぎ防水テープ２３に接着されている。
【００２１】
すなわち、左右の外壁パネル１の突合せ部は、前記壁上継ぎ防水テープ２２と壁下継ぎ防水テープ２４と壁端継ぎ防水テープ２３で防水処理されていることになる。また、図示は省略しているが、下階建物ユニットＵ１同士の接合部における左右の外壁パネル１の突合せ部も同様の構成となっている。
【００２２】
図４は下階建物ユニットＵ１の外壁パネル１と上階建物ユニットＵ２の外壁パネル１の突合せ部を示す縦断面図で、図３のIV−IV断面図に相当する。この突合せ部には、ブチルテープ等の壁上防水シート４ならびに壁下防水シート５とウレタン樹脂発泡体等のパッキング６からなる防水処理が施されている。
【００２３】
前記壁上防水シート４は、下階建物ユニットＵ１の壁枠材１２の上面と外壁面材１１の上面と外壁面材１１の上端部表面に沿ってＬ字形に折り曲げられた状態で接着されており、前記外壁面材１１のほぼ全長に亘って設けられている。
【００２４】
前記壁下防水シート５は、上端部が、上階建物ユニットＵ２の外壁パネル１の下端部に外壁面材１１の裏面と壁枠材１２との間に挟持された状態で接着され、下端部が、下階建物ユニットＵ１の壁上防水シート４の表側に接着されており、前記外壁面材１１のほぼ全長に亘って設けられている。
【００２５】
更に、前記パッキング６は、下階建物ユニットＵ１の壁上防水シート４の上側に接着されており、壁上防水シート４の両端を少し残した位置まで設けられている。
【００２６】
図１は下階建物ユニットＵ１の外壁パネル１と上階建物ユニットＵ２の外壁パネル１の突合せ部を示す縦断面図で、図３のＩ−Ｉ断面図に相当する。この突合せ部には、ブチルテープ等の壁上継ぎ防水シート７と、ポリプロピレン樹脂の折曲加工品等の水切り材８と、ウレタン樹脂発泡体等の継ぎパッキング９からなる防水処理が施されている。
【００２７】
前記水切り材８は、図５に示すように、継ぎ外壁材３の裏面と対向する裏垂直片８１と、継ぎ外壁材３の上面と対向する水平片８２と、継ぎ外壁材３の表面と対向する表垂直片８３で、継ぎ外壁材３の上端部を挿入可能な溝形状に形成されており、前記裏垂直片８１の下端部８１１が、前記表垂直片８３側に緩い傾斜角度で折曲されている。また、この水切り材８は、下階建物ユニットＵ１の外壁パネル１間の上端部に跨がるようにして設けられており、裏垂直片８１が前記壁上継ぎ防水テープ２２の表側と前記壁端継ぎ防水テープ２３の上端部に接着されている。
【００２８】
前記壁上継ぎ防水シート７は、左右の外壁パネル１の上端部に設けられている壁上防水シート４に跨がるようにして設けられており、この壁上防水シート４と前記壁上継ぎ防水テープ２２と前記水切り材８の水平片ならびに表垂直片８３の上にＬ字形に折り曲げられた状態で接着されている。すなわち、前記外壁パネル１の上面と前記継ぎ外壁材３の上面との間の隙間は、この壁上継ぎ防水シート７によって防水処理されていることになる。
【００２９】
前記継ぎパッキング９は、左右の外壁パネル１間の上端部に設けられているパッキング６の間にこれらパッキング６と密着した状態で設けられており、前記壁上継ぎ防水シート７の上に接着されている。
【００３０】
即ち、上下の外壁パネル１の突合せ部は、壁下防水シート５ならびに壁端継ぎ防水テープ２３と、パッキング６ならびに継ぎパッキング９で２重に防水処理されているので、壁下防水シート５や壁端継ぎ防水テープ２３の接着が剥れる等して、万が一、上下の外壁パネル１の突合せ部に雨水が浸入したとしても、パッキング６ならびに継ぎパッキング９によって雨水が室内側に到達するのを確実に防止することができる。また、外壁パネル１の上面と継ぎ外壁材３の上面との間の隙間が、壁上継ぎ防水シート７によって防水処理されているので、万が一、上下の外壁パネル１の突合せ部に雨水が浸入したとしても、外壁パネル１と継ぎ外壁材３の間の隙間を伝って雨水が外壁内に浸入するのを防止することができる。
【００３１】
以下、図６〜図１１に基づいて、ユニット建物において外壁を防水処理する際の施工手順について説明する。
【００３２】
まず、工場内で下階建物ユニットＵ１ならびに上階建物ユニットＵ２を組み立てる工程で、各建物ユニットに壁端防水板２１と壁上防水シート４と壁下防水シート５とパッキング６を取り付けておく（図６参照）。
【００３３】
そして、施工現場では、まず、下階建物ユニットＵ１を基礎の上に据付け、下階建物ユニットＵ１の左右の外壁パネル１の突合せ部に、壁上継ぎ防水テープ２２、壁下継ぎ防水テープ２４、壁端継ぎ防水テープ２３を接着して防水処理すると共に、水切り材８、継ぎパッキング９も接着する（図７〜図９参照）。
【００３４】
次に、下階建物ユニットＵ１の上に上階建物ユニットＵ２を据付け、上階建物ユニットＵ２の左右の外壁パネル１の突合せ部に、壁上継ぎ防水テープ２２、壁端継ぎ防水テープ２３、壁下継ぎ防水テープ２４を順次接着して防水処理すると共に、水切り材８、継ぎパッキング９も接着する。
【００３５】
その後、上階建物ユニットＵ２の壁下防水シート５の下端部を下階建物ユニットＵ１の壁上防水シート４に接着すると共に、上階建物ユニットＵ２の壁端継ぎ防水テープ２３の下端部２３１を下階建物ユニットＵ１の壁上継ぎ防水シート７の表側に接着することによって、上下の外壁パネル１の突合せ部を防水処理する（図１０参照）。
【００３６】
そして、上階建物ユニットＵ２の上に屋根ユニットＵ３を据付け、左右の屋根ユニットＵ３間ならびに上階建物ユニットＵ２と屋根ユニットＵ３間を防水処理し、最後に、下階建物ユニットＵ１の左右の外壁パネル１間の凹部２に継ぎ外壁材３を収納固定すると共に、上階建物ユニットＵ２の左右の外壁パネル１間の凹部２に継ぎ外壁材３を収納固定する（図１１参照）。
【００３７】
なお、図示は省略しているが、上下の外壁パネル１の突合せ部には、更に、壁下防水シート５や壁端継ぎ防水テープ２３の下端部２３１を隠すための化粧カバーを取り付ける。
【００３８】
つまり、本実施の形態の外壁の防水構造にあっては、壁端継ぎ防水テープ２３の下端部の接着対象が、外壁パネル１に固定されている水切り材８なので、ユニット建物において外壁を防水処理する際、上階建物ユニットＵ２ならびに下階建物ユニットＵ１の据付け作業と、屋根ユニットＵ３の据付け作業と、各ユニットの接合部における外壁パネル１の突合せ部の防水処理作業を終えた後に、継ぎ外壁材３の取り付け作業を行うといった施工手順で行うことができる。このように、継ぎ外壁材３の取り付け作業の前に屋根ユニットＵ３の据付け作業を行うことにより、施工途中に降雨の害を受ける可能性を低減できるようになる。
【００３９】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、ユニット建物の外壁に適用した例を示したが、外壁が複数の外壁パネル１によって構成されていればユニット建物に限られない。また、ユニット建物の場合でも、２階建てに限らず３階建て以上の建物に適用することができる。また、継ぎ外壁材の形状、材質、製造方法は外壁として適性があれば任意のものを選択できる。
【００４０】
【発明の効果】
以上説明したように、本発明にあっては、左右の外壁パネル間の凹部に継ぎ外壁材を収納固定した外壁において、外壁パネルの突合せ部に雨水が浸入するのを確実に防止することができるという効果が得られる。
【００４１】
また、本発明にあっては、上下左右の外壁パネルの突合せ部の防水処理を完了させた後に継ぎ外壁材の取り付け作業を行うことが可能なので、作業手順が制約されず、作業効率を向上させる上で有利であるという効果も得られる。例えば、ユニット建物を構築する場合、建物ユニットならびに屋根ユニットの据付け作業とユニット接合部における外壁パネルの突合せ部の防水処理作業とを終えた後に、ユニット接合部への継ぎ外壁材の取り付け作業を行うことができるようになり、このように、継ぎ外壁材の取り付け作業の前に屋根ユニットの据付け作業を行うことにより、天候の影響による施工期間の長期化を回避できるようになる。
【図面の簡単な説明】
【図１】  上下の外壁パネルの突合せ部を示す縦断面図（図３のＩ−Ｉ断面図）である。
【図２】  二階建てのユニット建物を示す全体図である。
【図３】  左右の外壁パネルの突合せ部を示す横断面図である。
【図４】  上下の外壁パネルの突合せ部を示す横断面図（図３のIV−IV断面図）である。
【図５】  水切り材を示す斜視図である。
【図６】  ユニット建物において外壁を防水処理する際の施工手順を示す図である。
【図７】  ユニット建物において外壁を防水処理する際の施工手順を示す図である。
【図８】  ユニット建物において外壁を防水処理する際の施工手順を示す図である。
【図９】  ユニット建物において外壁を防水処理する際の施工手順を示す図である。
【図１０】  ユニット建物において外壁を防水処理する際の施工手順を示す図である。
【図１１】  ユニット建物において外壁を防水処理する際の施工手順を示す図である。
【符号の説明】
Ｕ１  下階建物ユニット
Ｕ２  上階建物ユニット
Ｕ３  屋根ユニット
１  外壁パネル
１１  外壁面材
１２  壁枠材
２  凹部
２２  壁上継ぎ防水テープ（壁継ぎ防水材）
２３  壁端継ぎ防水テープ（壁継ぎ防水材）
２４  壁下継ぎ防水テープ（壁継ぎ防水材）
３  継ぎ外壁材
４  壁上防水シート
５  壁下防水シート
６  パッキング
７  壁上継ぎ防水シート
８  水切り材
８１  裏垂直片
８２  水平片
８３  表垂直片
９  継ぎパッキング
【図１】
0003701745.tif 000002
【図２】
0003701745.tif 000003
【図３】
0003701745.tif 000004
【図４】
0003701745.tif 000005
【図５】
0003701745.tif 000006
【図６】
0003701745.tif 000007
【図７】
0003701745.tif 000008
【図８】
0003701745.tif 000009
【図９】
0003701745.tif 000010
【図１０】
0003701745.tif 000011
【図１１】
0003701745.tif 000012